(57)【要約】【課題】  作動カムを中心にスタート、ストップ、及びリセットに関わる多くの部材を平面的に配置しなければならないため、ムーブメントサイズに制約がある中での設計では大きな問題となっていた。【解決手段】  作動カム１４０の断面を平面形状が異なる少なくとも２つの階層となるように積層すると共に、作動カム１４０の断面を上層、中層、及び下層の３つの層に分解し、作動カム１４０の下層１４１に発停操作伝達部材１５２と、作動カムジャンパー１５１とを配置し、作動カム１４０の中層１４２にクロノグラフ指針のスタート状態を検出し復針操作部材の誤操作による復針操作を防止する安全機構の状態検出部材１６０を配置し、作動カム１４０の上層１４３に復針機構を待機位置に移動させる復針機構の初期位置設定部材１５５とクロノグラフ輪列の一部を停止するクロノグラフ輪列停止部材１５４を配置する。【選択図】      図１
2005300283.tif 000002
【特許請求の範囲】
【請求項１】
クロノグラフ機構の作動操作及び停止操作を行なう発停切替操作部材と、該発停切替操作部材によって作動する発停操作伝達部材と、該発停操作伝達部材の作動によって回転する複数の歯を有する作動カムと、クロノグラフ機構の復針操作を行なう復針操作部材と、該復針操作部材によって作動する復針操作伝達部材と、該復針操作伝達部材によりクロノグラフ指針の復針を行なう復針機構の規制解除を行なう規制部材とを有し、前記作動カムの回転位置に応じてクロノグラフ指針のスタート、ストップ、及びリセットを制御するクロノグラフ機能付電子時計において、前記作動カムの断面を平面形状が異なる少なくとも２つの階層となるように積層すると共に、前記作動カムの断面を上層、中層、及び下層の３つの層の機能に分解し、
前記作動カムの下層には発停操作伝達部材と、該作動カムの回転位置を規制する作動カムジャンパーとを配置し、前記作動カムの中層にはクロノグラフ指針のスタート状態を検出し復針操作部材の誤操作による復針操作を防止する安全機構の状態検出部材を配置し、前記作動カムの上層には前記復針機構を待機位置に移動させる復針機構の初期位置設定部材とクロノグラフ輪列の一部を停止するクロノグラフ輪列停止部材を配置したことを特徴とするクロノグラフ機能付電子時計。
【請求項２】
前記クロノグラフ輪列停止部材は、前記作動カムと噛合い前記作動カムの状態を検出する検出レバー部と、バネ部を有しクロノグラフ輪列の一部を停止するブレーキ部と、電気的に前記クロノグラフ輪列を制御する制御部が実装される回路基板に形成されたパターンと接触し、前記制御部にスタート信号を送る電気接点レバー部と、前記検出レバー部を前記作動カムに安定して押し付けるための戻しバネ部とが一体に形成されている事を特徴とする請求項１に記載のクロノグラフ機能付電子時計。
【請求項３】
前記復針機構は、前記初期位置設定部材と復針レバーとからなり、前記初期位置設定部材と前記復針レバーとは同一高さに配置されていることを特徴とする請求項１に記載のクロノグラフ機能付電子時計。
【発明の詳細な説明】
【技術分野】
【０００１】
本発明は、クロノグラフ機能付電子時計のムーブメント構造に関するものである。
【背景技術】
【０００２】
従来、多機能時計の一つとしては、クロノグラフ機能付電子時計がある。このような時計は、例えば時、分、秒のクロノグラフ指針を有しており、時計に設けられているスタート／ストップボタンによりスタート、ストップ操作を行うことで計時を行なう。そして、時計に設けられているリセットボタンによりリセット操作を行うことで、クロノグラフ指針を帰零位置に復針する。
【０００３】
このような時計のスタート、ストップ、及びリセット操作の作動機構としては、作動カムが多く用いられており、前記作動カムの回転位置に応じてクロノグラフ機能のスタート、ストップ、及びリセットが制御されている。また、スタート／ストップの電気的切替機構は、作動カムの回転位置に応じて作動するスイッチレバーを特別に設け、前記スイッチレバーに設けられたスイッチ部を、回路基板上のパターンと接触または切り離すことで電気的切替を行っている（例えば、特許文献１参照。）。
【０００４】
リセット操作は、機械的帰零機構においては主として復針レバーに設けられているハンマー部を、クロノグラフ指針に設けられているハートカム部に押圧することで行われる。この場合、復針解除時には、前期ハンマー部と前記ハートカム部が分離することで摩擦力が生じ、クロノグラフ輪列のバックラッシ分だけクロノグラフ指針フレが起こることが知られている。これを防止するためには、通常クロノグラフ輪列にブレーキ部を設けている（例えば、特許文献２参照。）。また、電池を動力源とする電子時計の場合は、復針の衝撃による発生トルクがロータの位相ずれを引き起こすことが知られており、この点からしてもクロノグラフ輪列にブレーキ部を設けるという対策が採られている。
【０００５】
【特許文献１】特許第３４４６６０４号公報  （第５頁−９頁、図５−図１５、）
【特許文献２】独国特許発明第１６７３８２９号明細書  （第４欄−５欄、Ｆｉｇ．４）
【発明の開示】
【発明が解決しようとする課題】
【０００６】
上述したスタート、ストップ、及びリセット操作の作動機構は、作動カムの回転位置に応じて制御されるが、この作動機構を構成する部材はその機構の複雑さゆえ多くのクロノグラフ部材を必要とする。従って、作動カムを中心にスタート、ストップ、及びリセットに関わる多くのクロノグラフ部材を平面的に配置しなければならないため、ムーブメントサイズに制約がある中での設計では大きな問題となっていた。この問題を解決する手段として、従来作動カムを２層構造にし、その各層にクロノグラフ部材を振り分けることにより、クロノグラフ部材の平面的な拡散を抑える構造が取られていた。しかしながら、ムーブメントサイズのさらなる小型化を目的とする場合、前述のような作動カムの２層構造では不十分である。また、作動カムを２層構造にすることにより、クロノグラフ部材を段違いに配置したり、クロノグラフ部材に曲げ部を必要とすることがあり、それにより部材間での伝達効率が著しく低下し、適切な操作感が得られないことに加え、クロノグラフ部材、及びそれを軸支する部材に過剰な負荷をかけてしまうという問題があった。
【０００７】
また、スタート／ストップの電気的切替機構では、特許文献１の図７−図９のように、作動カムの回転と機械的同期を得て作動し、回路基板上のパターンと接触するスイッチ部を有するスイッチレバーを設けなければならない。従って、クロノグラフ部材数が増加し、部材の寸法精度のばらつきによって作動不良を引き起こす要因になるとともに、設計スペースの有効活用を妨げる。また、加工・組立・管理の面においても部材のコストアップが生じるという問題があった。
【０００８】
また、リセット操作は、機械的帰零機構においては主として復針レバーに設けられているハンマー部を、クロノグラフ指針に設けられているハートカム部に押圧することで行われる。この場合、復針解除時には、前記ハンマー部と前記ハートカム部の接触が解除される。従って、両者間に生じる摩擦により、クロノグラフ輪列のバックラッシ分だけクロノグラフ指針フレを生じてしまうという問題があった。
【０００９】
さらに、電池を動力源とする電子時計の場合には、電池の長寿命化の点から回転保持力の弱いロータを用いており、復針時の衝撃による発生トルクがクロノグラフ輪列を経てロータに伝達し、ロータの位相ずれを引き起こすという問題があった。これらの問題を解決する手段としては、クロノグラフ輪列にブレーキ部を設ける手段がある。しかしながら、この場合、ブレーキ部材を専用に設ける必要性が生じ、上述したスイッチレバー同様の問題が生じる。さらに、クロノグラフ機構が、クロノグラフ機能の電気的切替機構と、クロノグラフ輪列のブレーキ部で同期を取り、回路基板上のパターンと接触するスイッチ部を有するスイッチレバーと前記ブレーキ部が上述のように別体にて構成されていると、各部材の寸法精度のばらつきにより、同期を取ることが困難になるうえ、作動の不安定化を引き起こす要因となっていた。
【００１０】
本発明の目的は、上記課題を解決しようとするもので、従来のクロノグラフ機能付電子時計に対して、ムーブメントサイズを小型化させると共に、クロノグラフ作動の安定したクロノグラフ機能付電子時計を提供することにある。
【課題を解決するための手段】
【００１１】
上記目的を達成する為に本発明は、クロノグラフ機構の作動操作及び停止操作を行なう発停切替操作部材と、該発停切替操作部材によって作動する発停操作伝達部材と、該発停操作伝達部材の作動によって回転する複数の歯を有する作動カムと、クロノグラフ機構の復針操作を行なう復針操作部材と、該復針操作部材によって作動する復針操作伝達部材と、該復針操作伝達部材によりクロノグラフ指針の復針を行なう復針機構の規制解除を行なう規制部材とを有し、前記作動カムの回転位置に応じてクロノグラフ指針のスタート、ストップ、及びリセットを制御するクロノグラフ機能付電子時計において、前記作動カムの断面を平面形状が異なる少なくとも２つの階層となるように積層すると共に、前記作動カムの断面を上層、中層、及び下層の３つの層の機能に分解し、前記作動カムの下層には発停操作伝達部材と、該作動カムの回転位置を規制する作動カムジャンパーとを配置し、前記作動カムの中層にはクロノグラフ指針のスタート状態を検出し復針操作部材の誤操作による復針操作を防止する安全機構の状態検出部材を配置し、前記作動カムの上層には前記復針機構を待機位置に移動させる復針機構の初期位置設定部材とクロノグラフ輪列の一部を停止するクロノグラフ輪列停止部材を配置したことを特徴とする。
【００１２】
このようにすれば、作動カムの断面を上層、中層、及び下層の３つの層に分解し、発停操作伝達部材と、作動カムジャンパーと、状態検出部材と、初期位置設定部材と、クロノグラフ輪列停止部材とを断面的に配置したことにより、これらのクロノグラフ部材を作動カム周辺により集約させることが可能となり、クロノグラフ部材の平面的拡散をより抑えられるため、ムーブメントサイズのさらなる小型化を図ることが可能となる。さらに、ムーブメントの平面的スペースを有効活用することが可能となり、クロノグラフ部材形状の
簡素化や、クロノグラフ部材の充分なストローク量の確保が可能となり、クロノグラフ作動の安定化に寄与することができる。
【００１３】
また、前記クロノグラフ輪列停止部材は、前記作動カムと噛合い前記作動カムの状態を検出する検出レバー部と、バネ部を有しクロノグラフ輪列の一部を停止するブレーキ部と、電気的に前記クロノグラフ輪列を制御する制御部が実装される回路基板に形成されたパターンと接触し、前記制御部にスタート信号を送る電気接点レバー部と、前記検出レバー部を前記作動カムに安定して押し付けるための戻しバネ部とが一体に形成されている事が望ましい。
【００１４】
このようにすれば、ブレーキ部と電気接点レバー部を別の部材に分ける必要はなくなる。従って、部材の寸法精度や組立精度の影響が減少し、電気的切替とブレーキの同期を取ることが容易となり、クロノグラフ作動の安定化が図れる。さらに、クロノグラフ部材数の削減が図れ、加工・組立・管理コストの低減、設計スペースの有効活用、ムーブメントサイズの小型化に寄与することができる。
【００１５】
また、前述のようなクロノグラフ機能付電子時計において、前記復針機構は、前記初期位置設定部材と復針レバーとからなり、前記初期位置設定部材と前記復針レバーとは同一高さに配置されていることが望ましい。
【００１６】
このようにすれば、初期位置設定部材と復針レバー間で、力の伝達が平面に作用するため、前記初期位置設定部材と前期復針レバーのひねりを抑えることが可能となる。従って、ひねりによって生じる伝達効率の低下や軸支部材との過剰な摩擦といった機械的抵抗力を確実に低減することが可能となり、操作者に適切な操作感を提供することが可能となる。また、部材に過剰な負荷がかからないため、時計の長寿命化が図れる。
【発明の効果】
【００１７】
以上に述べたように、本発明によれば、ムーブメントサイズの小型化、設計スペースの有効化、加工・組立・管理コストの低減、力の伝達効率の改善、クロノグラフ作動の安定化を充分図ることができる。
【発明を実施するための最良の形態】
【００１８】
以下、本発明の実施の形態を図面に基づいて詳述する。
図１は、本発明のクロノグラフ機能付電子時計を裏蓋側から見た平面図で、クロノグラフ部１００のスタート／ストップ及びリセットの作動機構の概略構成を示す平面図、図２は、図１の主要部の概略構成を示す断面図、図３は図１のクロノグラフ機能付電子時計のクロノグラフ機能が非作動状態にある時の平面図、図４は図１のクロノグラフ機能付電子時計のクロノグラフ機能のスタート時の作動を示す平面図、図５は図１のクロノグラフ機能付電子時計のクロノグラフ機能のストップ時の作動を示す平面図、図６は図１のクロノグラフ機能付電子時計のクロノグラフ機能のリセット時の作動を示す平面図である。
【実施例１】
【００１９】
まず本発明の構成を図面に基づいて説明する。図に示す如く、このクロノグラフ部１００のスタート／ストップ及びリセットの作動機構は、作動カム１４０の回転により、その回転位置に応じてスタート／ストップ及びリセットが機械的に行われる構成である。また、図２に示すように、作動カム１４０は、平面形状が異なる２種類のカムによって２つの階層となるように積層構成され、作動カム１４０の断面を下層１４１、中層１４２、上層１４３の３つの層の機能に分解された円筒状の複合カムである。下層部１４１側面には一定ピッチの歯１４１ａが１４枚設けられ、中層部１４２側面には一定ピッチの歯１４２ａが７枚設けられ、同じく上層部１４３側面には前記歯１４２ａと同一形状の一定ピッチの
歯１４３ａが７枚設けられている。なお、本実施例では作動カム１４０を平面形状が異なる２種類のカムによって２つの階層となるように積層したが、３種類のカムによって３つの階層となるように構成しても良いことは明らかである。
【００２０】
１０１はクロノグラフ機構の作動操作及び停止操作を行なう発停切替操作部材であるスタート／ストップボタン、１５２はスタート／ストップボタン１０１よって作動する発停操作伝達部材である発停レバーで、作動カム１４０は、下層部１４１に係止している作動カムジャンパー１５１によって静止時の回転位相（位置）が規制され、発停レバー１５２の作動によって発停レバー１５２に設けられた作動カム押圧部１５２ａが作動カム１４０を時計回りに回転される。
【００２１】
１２１は図示されていない１／５秒クロノ針が固着される１／５秒クロノグラフ車、１２３は１／５秒クロノグラフ中間車（１）、１２４は１／５秒クロノグラフ中間車（２）、３０１は図示されていないステップモータの出力であるロータで、ロータ３０１、１／５秒クロノグラフ中間車（２）１２４、１／５秒クロノグラフ中間車（１）１２３、１／５秒クロノグラフ車１２１によって１／５秒クロノグラフ輪列が構成されている。
【００２２】
１１１は図示されていない分クロノ針が固着される分クロノグラフ車、１１３は分クロノグラフ中間車（１）、１１４は分クロノグラフ中間車（２）、１１５は分クロノグラフ中間車（３）で、ロータ３０１、１／５秒クロノグラフ中間車（２）１２４、分クロノグラフ中間車（３）１１５、分クロノグラフ中間車（２）１１４、分クロノグラフ中間車（１）１１３、分クロノグラフ車１１１によって分クロノグラフ輪列が構成されている。
【００２３】
１３１は図示されていない時クロノ針が固着される時クロノグラフ車、１３３は時クロノグラフ中間車（１）、１３４は時クロノグラフ中間車（２）、１３５は時クロノグラフ中間車（３）、１３６は時クロノグラフ中間車（４）で、ロータ３０１、１／５秒クロノグラフ中間車（１）１２３、時クロノグラフ中間車（４）１３６、時クロノグラフ中間車（３）１３５、時クロノグラフ中間車（２）１３４、時クロノグラフ中間車（１）１３３、時クロノグラフ車１３１によって時クロノグラフ輪列が構成されている。
【００２４】
［クロノグラフのスタート／ストップ作動機構］
次に図１及び図３を用いて本発明のクロノグラフ機能付電子時計のスタート／ストップの作動機構を説明する。（なお、図３はクロノグラフ機能非作動状態を示す）。スタート／ストップ機構は、作動カム１４０の他、該作動カム１４０の回転位置を規制する作動カムジャンパー１５１と、クロノグラフ機構の作動操作及び停止操作を行なう発停切替操作部材であるスタート／ストップボタン１０１と、該スタート／ストップボタン１０１によって作動する発停操作伝達部材である発停レバー１５２と、発停レバー戻しばね１５３と、クロノグラフ輪列の一部を停止するクロノグラフ輪列停止部材であるクロノグラフ停止レバー（１）１５４と、後述するクロノグラフ指針の復針を行なう復針機構を待機位置に移動させる復針機構の初期位置設定部材である伝えレバー１５５と、復針レバー（１）１５６と、復針レバー（２）１５７と、復針レバー戻しばね１５８と、後述するクロノグラフ指針の復針を行なう復針機構の規制解除を行なう規制部材である規制レバー１５９と、クロノグラフ指針のスタート状態を検出し復針操作部材の誤操作による復針操作を防止する安全機構の状態検出部材である切替レバー１６０と、切替レバー戻しばね１６１と、クロノグラフ輪列の一部を停止するクロノグラフ輪列停止部材であるクロノグラフ停止レバー（２）１６２と、規制車（１）１６３と、規制車（２）１６４によって構成されている。
【００２５】
発停レバー１５２は、一端部には曲げ状態で構成されたスタート／ストップボタン押圧部１５２ｂ、半楕円状の開口部１５２ｃ、ピン１５２ｄが設けられ、他端の先端部には作
動カム押圧部１５２ａが設けられている。発停レバー１５２は、発停レバー１５２に設けられているピン１５２ｄに発停レバー戻しばね１５３を係止させることによって、ムーブメント側に設けられたピン２０１を軸として、開口部１５２ｃの形状に沿って往復運動する。
【００２６】
クロノグラフ停止レバー（１）１５４は、一端部にはクロノグラフ輪列を電気的に制御する制御部が実装される回路基板２０２上に形成されたパターンと接触し、前記制御部にスタート信号を送る曲げ状態で構成された電気接点レバー部１５４ａ、他端部には作動カム１４０の上層部１４３と噛合い前記作動カム１４０の状態を検出する検出レバー部１５４ｂ、中央部には検出レバー部１５４ｂを安定して押し付けるための戻しばね部１５４ｃ、さらに別端部にはバネ部を有しクロノグラフ輪列の一部である１／５秒クロノグラフ中間車（２）１２４を制動するブレーキ部１５４ｄとが一体に形成され、ムーブメント側に設けられたピン２０３を軸として回転運動するように構成されている。従って、クロノグラフ停止レバー（１）１５４は、電気接点レバー部１５４ａが、その回転運動によって回路基板２０２上のパターンと接触、非接触を繰り返し、クロノグラフ機能の電気的切替機構として構成されるとともに、ブレーキ部１５４ｄがクロノグラフ輪列の制動機構として構成されている。
【００２７】
伝えレバー１５５は、一端部に作動カム１４０の上層部１４３との噛合部１５５ａを有し、他端部に復針レバー（１）１５６との押圧部１５５ｂを有しており、ムーブメント側に設けられたピン２０４を軸として回転運動する。
【００２８】
復針レバー（１）１５６は、伝えレバー１５５と同一高さに配置されており、一端部に伝えレバー１５５との押圧部１５６ａ、他端部に復針レバー戻しばね１５８との押圧部１５６ｂ、規制レバー１５９との引掛部１５６ｃを有している。また、ピン１５６ｄが設けられており、後述する復針レバー（２）１５７の長穴部１５７ａに挿入される。さらに、分クロノグラフハートカム１１２を帰零するためのハンマー部１５６ｅ、１／５秒クロノグラフハートカム１２２を帰零するためのハンマー部１５６ｆを有しており、ムーブメント側に設けられたピン２０５を軸として回転運動を行い、クロノグラフ指針を帰零する。
【００２９】
復針レバー（２）１５７は、一端部に平行二段曲げが形成されており、さらに長穴部１５７ａが設けられ、復針レバー（１）１５６のピン１５６ｄが係止されている。他端部には、時クロノグラフハートカム１３２を帰零するためのハンマー部１５７ｂを有しており、ムーブメント側に設けられたピン２０６を軸として回転運動を行い、クロノグラフ指針を帰零する。
【００３０】
規制レバー１５９は、一端部に押圧部１５９ａを有しており、ムーブメント側に設けられている側圧ばね２０７によって、押圧部１５９ａは常に図示Ａ方向に押圧され、ムーブメント側に設けられたピン２０８を回転軸として反時計方向に回転力が負荷されている。他端部には、復針レバー（１）１５６との引掛部１５９ｂを有しており、後述するストップ状態からリセット状態への移行段階での引き金の役割を果たしている。
【００３１】
以上のような構成によるクロノグラフのスタート／ストップの作動機構の動作例を、クロノグラフ機能非作動時、スタート時、ストップ時、リスタート時に分けて、図３〜図５を参照して説明する。
【００３２】
［クロノグラフのストップ状態］
図３の状態では、クロノグラフ停止レバー（１）１５４の検出レバー部１５４ｂは作動カム１４０の上層部１４３に押圧され、電気接点レバー部１５４ａは回路基板２０２上のパターンとは接触しておらず（非接触状態）、クロノグラフ機能の電気的入力はない。ま
たブレーキ部１５４ｄは、１／５秒クロノグラフ中間車（２）１２４を側圧し、制動している（ブレーキをかけている）。
【００３３】
復針レバー（１）１５６は、復針レバー戻しばね１５８の初期たわみによる図示Ｂ方向の弾性力が押圧部１５６ｂに負荷され、ピン２０５を回転軸として半時計方向に回転力が負荷されており、ハンマー部１５６ｅは分クロノグラフハートカム１１２を、ハンマー部１５６ｆは１／５秒クロノグラフハートカム１２２を、押圧部１５６ａは伝えレバー１５５の押圧部１５５ｂを、ピン１５６ｄは復針レバー（２）１５７の長穴部１５７ａを押圧している。
【００３４】
従って、復針レバー（２）１５７は、略長穴部１５７ａと復針レバー（１）１５６に設けられたピン１５６ｄとの係合によって、ピン２０６を回転軸として時計方向に回転力が負荷されており、ハンマー部１５７ｄが時クロノグラフハートカム１３２を押圧している。
【００３５】
伝えレバー１５５は、復針レバー（１）１５６からの押圧によって、押圧部１５５ｂに時計方向の回転力が施される。このとき、噛合部１５５ａは作動カム１４０の上層部１４３の２枚の歯１４３ａと歯１４３ａの間に位置している。
【００３６】
切替レバー１６０は、作動カム１４０の中層部１４２の歯１４２ａと歯１４２ａの間に位置し、押圧部１６０ａが切替レバー戻しばね１６１によって押圧され、ムーブメント側に設けられたピン２０９を回転軸として、時計方向に回転力が負荷されている。また、切替レバー１６０には突起部１６０ｂと突起部１６０ｃが設けられており、両突起部１６０ｂ、１６０ｃ間の溝状の係止部１６０ｄには、ピン２０９を軸として回転運動するクロノグラフ停止レバー（２）１６２の下曲げ部１６２ａが係止され、押圧部１６２ｂは規制車（１）１６３を介して１／５秒クロノグラフ車１２１を制動し（ブレーキをかけ）、押圧部１６２ｃは規制車（２）１６４を介して分クロノグラフ車１１１を制動している（ブレーキをかけている）。
【００３７】
［クロノグラフのスタート操作］
この状態からクロノグラフ機能をスタートすべく、操作者によってスタート／ストップボタン１０１が図４に示すように、図示矢印Ａ方向に押されることで、発停レバー１５２のプッシュボタン押圧部１５２ｂが押圧され、発停レバー１５２は開口部１５２ｃに沿って直線運動し、作動カム押圧部１５２ａによって作動カム１４０の下層部１４１に回転力を加え、作動カム１４０は時計方向に回転運動する。
【００３８】
この動作に伴い、伝えレバー１５５は作動カム１４０の上層部１４３によって図示矢印Ｂ方向に押し上げられ、伝えレバー先端部１５５ａは作動カム上層部１４３の歯１４３ａの頂上に移動する。
【００３９】
復針レバー（１）１５６は同一高さに配置された伝えレバー１５５の押圧部１５５ｂによって、図示矢印Ｃ方向へ回転して分クロノグラフハートカム１１２及び１／５秒クロノグラフハートカム１２２の帰零状態を解除し、復針レバー（２）１５７は図示矢印Ｄ方向へ回転して時クロノグラフハートカム１３２の帰零状態を解除する。
【００４０】
そして、復針レバー戻しばね１５８は、復針レバー（１）１５６の押圧部１５６ｂによって図示矢印Ｅ方向に変位し、蓄えられたひずみエネルギーはリセット時の帰零力となる。
【００４１】
規制レバー１５９は前述した通り、ムーブメント側に設けられた側圧ばね２０７によっ
て図示矢印Ｆ方向に押圧されているため、規制レバー１５９の引掛部は復針レバー（１）１５６の引掛部１５６ｃへ入り込み、復針レバー（１）１５６が図４のような位置で規制される。
【００４２】
さらに切替レバー１６０は作動カム１４０の中層部１４２によって図示矢印Ｇ方向に押し上げられ、切替レバー先端部１６０ｅは作動カム中層部１４２の歯１４２ａの頂上に移動する。この動作によって、切替レバー１６０の係止部１６０ｄは図示矢印Ｈ方向に回転移動する。
【００４３】
従って、クロノグラフ停止レバー（２）１６２は、切替レバーの係止部１６０ｄによって、下曲げ部１６２ａが図示矢印Ｉ方向に回転し、押圧部１６２ｂは規制車（１）１６３を介して１／５秒クロノグラフ車１２１のブレーキを解除し、押圧部１６２ｃは規制車（２）１６４を介して分クロノグラフ車１１１のブレーキを解除する。このとき、切替レバー１６０の突起部１６０ｂは、リセット時に使用される復針伝えレバー１６５が規制レバー押圧部１６５ｃの軌道に入りこみ、復針伝えレバー１６５の動作を完全に規制し、スタート状態でのリセット操作を不可とする安全機構としての役割を果たす。
【００４４】
また、クロノグラフ停止レバー（１）１５４の検出レバー部１５４ｂは、戻しばね部１５４ｃの弾性力によって作動カム１４０の上層部１４３の歯１４３ａと歯１４３ａの隙間に入り込み、ブレーキ部１５４ｄは、１／５秒クロノグラフ中間車（２）１２４から離れ、ブレーキを解除する。そして、電気接点レバー部１５４ａは回路基板２０２上のパターンと接触し、スタート信号が入力される。この結果、図示されていないステップモータに駆動信号が入力され、前記１／５秒、分、時の各クロノグラフ輪列がステップモータによって駆動され、図示されていないクロノグラフの１／５秒、分、時を示す指針の運針が行なわれる。
【００４５】
上述した一連の作動において、スタート時に操作者は指押力を、スタート／ストップボタン１０１、発停レバー１５２、作動カム１４０、伝えレバー１５５、復針レバー（１）１５６を経て、復針レバー戻しばね１５８に伝達しなければならない。従って、これらの部材間における伝達効率の低下は、負荷となって操作者の指押力に加わる。そこで、本発明のように、伝えレバー１５５と復針レバー（１）１５６の断面高さを同一にすれば、力伝達における両部材のひねりが抑えられ、伝えレバー１５５とピン２０４の摩擦力、復針レバー（１）１５６とピン２０５の摩擦力、伝えレバー押圧部１５５ｂと復針レバー押圧部１５６ａ間の伝達効率の低下を抑えられる。従って、操作者の指押力が効率よく復針レバー戻しばね１５８に伝達され、結果として適切な指押力を操作者に提供できることになる。
【００４６】
図５はクロノグラフ機能のストップ時の状態を示す。スタート時と同様、操作者によってスタート／ストップボタン１０１が図示矢印Ａ方向に押されることで、発停レバー１５２のスタート／ストップボタン押圧部１５２ｂが押圧され、発停レバー１５２は開口部１５２ｃに沿って直線運動し、作動カム押圧部１５２ａによって作動カム１４０の下層部１４１に回転力を加え、作動カム１４０は時計方向に回転運動する。
【００４７】
この動作に伴い、作動カム上層部１４３の歯１４３ａは伝えレバー１５５の先端部１５５ａをさらに押し上げ、先端部１５５ａは歯１４３ａと歯１４３ａの間に入り込む。このとき、伝えレバー１５５の押圧部１５５ｂは無負荷となり、伝えレバー１５５は全体として自由状態になる。
【００４８】
また、切替レバー１６０は作動カム１４０の回転に伴って図示矢印Ｂ方向に回転し、切替レバー戻しばね１６１によって押圧部１６０ａが押圧され、作動カム中層部１４２の歯
１４２ａと歯１４２ａの間に入り込む。
【００４９】
すると、切替レバー１６０とクロノグラフ停止レバー（２）１６２の係合関係によって、クロノグラフ停止レバー（２）１６２の押圧部１６２ｂは規制車（１）１６３を介して、１／５秒クロノグラフ車１２１を制動し、押圧部１６２ｃは規制車（２）１６４を介して、分クロノグラフ車１１１を制動する。
【００５０】
また、クロノグラフ停止レバー（１）１５４の検出レバー部１５４ｂは、作動カム上層部１４３の歯１４３ａによって図示矢印Ｃ方向に押し上げられ、ブレーキ部１５４ｄは、１／５秒クロノグラフ中間車（２）１２４と接触し、制動する。そして、電気接点レバー部１５４ａは回路基板２０２上のパターンから離れて非接触状態となり、スタート信号は電気的に遮断される。この結果、図示されていないステップモータに駆動信号が解除され、ステップモータによる前記１／５秒、分、時の各クロノグラフ輪列の駆動は停止し、図示されていないクロノグラフの１／５秒、分、時を示す指針も停止する。
【００５１】
［クロノグラフのリスタート操作］
この状態から、リスタート状態に移行する場合は、あらかじめ復針レバー（１）１５６が、規制レバー１５９によって規制されていることを除けば、図４のスタート状態と同一の形態をとる。
【００５２】
［クロノグラフの復針機構］
リセットの作動機構（復針機構）は、図６に示すように、作動カム１４０の他、作動カムジャンパー１５１と、クロノグラフ機構の復針操作を行なう復針操作部材であるリセットボタン１０２と、復針操作伝達部材である復針伝えレバー１６５と、復針レバー（１）１５６と、復針レバー（２）１５７と、復針レバー戻しばね１５８と、規制レバー１５９と、切替レバー１６０と、切替レバー戻しばね１６１と、１／５秒クロノグラフハートカム１２２と、分クロノグラフハートカム１１２と、時クロノグラフハートカム１３２によって構成されている。
【００５３】
復針伝えレバー１６５は、一端部には曲げ状態で構成されたリセットボタン押圧部１６５ａが設けられ、他端の先端部には規制レバー押圧部１６５ｂが設けられている。さらに規制レバー押圧部１６５ｂに隣接する別端部には切替レバー押圧部１６５ｃが設けられている。復針伝えレバー１６５は、復針伝えレバー１６５に設けられているピン１６５ｄにムーブメント側に設けられた戻しばね部２１１を係止させることによって、ムーブメント側に設けられたピン２１２を回転軸として回転往復運動する。
【００５４】
［クロノグラフのリセット操作］
以上のような構成によるクロノグラフのリセットの作動機構の動作を、図４〜図６を参照して説明する。
【００５５】
上述したように、リセットの作動機構は図４に示すようなスタート状態、もしくはそれと同一の形態をとるリスタート状態では、切替レバー１６０に設けられた突起部１６０ｂが復針伝えレバー１６５の規制レバー押圧部１６５ｃの軌道上に入り込む安全機構によって操作不可となる。従って、リセット操作は図５に示すようなストップ状態でのみ可能となる。
【００５６】
図６に示すように、操作者によってリセットボタン１０２が図示矢印Ａ方向に押され、復針伝えレバー１６５のリセットボタン押圧部１６５ａが押圧されると、復針伝えレバー１６５は図示矢印Ｂ方向に回転する。規制レバー押圧部１６５ｂは、規制レバー１５９を図示矢印Ｃ方向に回転させ、規制レバー１５９の引掛部１５９ｂは復針レバー（１）１５
６の引掛部１５６ｃから外れる。
【００５７】
従って、復針レバー（１）１５６の位置を規制するものはなくなり、復針レバー戻しばね１５８の復元力によって、復針レバー（１）１５６は図示矢印Ｄ方向に回転し、ハンマー部１５６ｆは１／５秒クロノグラフハートカム１２２を帰零し、ハンマー部１５６ｅは分クロノグラフハートカム１１２を帰零する。この動作に伴い、復針レバー（２）１５７は復針レバー（１）１５６に設けられたピン１５６ｄによって図示矢印Ｅ方向に回転し、ハンマー部１５７ｂは時クロノグラフハートカム１３２を帰零する。以上の結果、図示されていないクロノグラフの１／５秒、分、時を示す各指針は経過時間の「０」を示す位置に強制的に移動することになり、図３の状態に戻る。
【図面の簡単な説明】
【００５８】
【図１】本発明の一実施形態を示すクロノグラフ機能付電子時計の平面図で、裏蓋側から見た平面図である。
【図２】図１の主要部の概略構成を示す断面図である。
【図３】図１のクロノグラフ機能付電子時計のクロノグラフ機能が非作動状態にある時の平面図である。
【図４】図１のクロノグラフ機能付電子時計のクロノグラフ機能のスタート時の作動を示す平面図である。
【図５】図１のクロノグラフ機能付電子時計のクロノグラフ機能のストップ時の作動を示す平面図である。
【図６】図１のクロノグラフ機能付電子時計のクロノグラフ機能のリセット状態時の作動を示す平面図である。
【符号の説明】
【００５９】
１００  クロノグラフ部
１０１  スタートストップボタン
１０２  リセットボタン
１１１  分クロノグラフ車
１１２  分クロノグラフハートカム
１２１  １／５秒クロノグラフ車
１２２  １／５秒クロノグラフハートカム
１２４  １／５秒クロノグラフ中間車（２）
１３２  時クロノグラフハートカム
１４０  作動カム
１５１  作動カムジャンパー
１５２  発停レバー
１５４  クロノグラフ停止レバー（１）
１５５  伝えレバー
１５６  復針レバー（１）
１５７  復針レバー（２）
１５９  規制レバー
１６０  切替レバー
１６２  クロノグラフ停止レバー（２）
１６３  規制車（１）
１６４  規制車（２）
１６５  復針伝えレバー
２００  ムーブメント
２０２  回路基板
３０１  ロータ  
【図１】
2005300283.tif 000003
【図２】
2005300283.tif 000004
【図３】
2005300283.tif 000005
【図４】
2005300283.tif 000006
【図５】
2005300283.tif 000007
【図６】
2005300283.tif 000008